(57)【特許請求の範囲】
【請求項１】
装置本体に開閉可能に取り付けられる内側扉部および外側扉部を有する二重扉構造の開閉扉を備え、この開閉扉と装置本体との間に第１のシート搬送路を設けると共に、前記内側扉部と外側扉部の間に第２のシート搬送路を設けてなるシート搬送装置において、
前記開閉扉の開放時に自動的に前記内側扉部と外側扉部とが離間せしめられて内外両扉部の開放間隔を作成する間隔作成手段と、
開閉扉閉鎖時に、内側扉部と外側扉部との高さ位置が位置決めされる高さ位置決め手段とを備え、
前記間隔作成手段が前記位置決め手段を兼用していることを特徴とするシート搬送装置。
【発明の詳細な説明】
【０００１】
【発明の属する技術分野】
本発明は、複写機，プリンタ等のシート搬送路等に適用されるシート搬送装置に係り、特に、シート搬送路を開閉する開閉扉が内側扉部と外側扉部の二重扉構造となっており、この開閉扉内部に別のシート搬送路を配設してなる態様のシート搬送装置の改良に関する。
【０００２】
【従来の技術】
従来のこの種のシート搬送装置としては、例えば、図１９および図２０に示すようなものが知られている（特開平９−１３４０５０号公報参照）。
すなわち、シート搬送装置のジャム処理用の開閉部を、装置本体５００に旋回可能に取り付けられる内側旋回部５０１および外側旋回部５０２とから構成される二重扉構造とし、装置本体５００と内側旋回部５０１間に第１搬送路５０３が、内側旋回部５０１と外側旋回部５０２間に第２搬送路５０４がそれぞれ設けられている。
そして、外側旋回部５０２と内側旋回部５０１を不図示のロック機構によりロックしておき、外側旋回部５０２を開くと内側旋回部５０１が固定された状態で同時に開き（図１９参照）、ロック解除操作部５０６により内側旋回部５０１のロックを外すと内側旋回部５０１と外側旋回部５０２間が開くように構成されていた（図２０参照）。
【０００３】
【発明が解決しようとする課題】
しかしながら、上記した従来技術の場合には、シートのジャム処理を行うべく外側旋回部５０２を開いた際に、外側旋回部５０２と内側旋回部５０１が重なったままなので、第２搬送路５０４の視認性が悪く、ユーザが第２搬送路５０４でのシートのジャムに気づかない場合がある。
また、第２搬送路５０４におけるシートのジャムに気づいた場合でも、ロック解除操作部５０６の視認性が悪く、ユーザがロック解除をせずに内側，外側旋回部５０１，５０２の隙間から手を入れて部品を破損させたりする懸念がある。
【０００４】
特に、図２１乃至図２３に示すように、内側，外側旋回部５０１，５０２と同じ側にシート後処理装置５０７を配置した場合は、ロック解除操作部５０６がシート後処理装置５０７の陰になって目線に入らず（図２３参照）、さらに視認性が悪くなってしまう。
本発明は、以上の技術的課題を解決するためになされたものであって、ジャムしたシートの確認を確実にでき、しかも、確実にジャム処理を行うことができるシート搬送装置を提供するものである。
【０００５】
【課題を解決するための手段】
すなわち、本発明の基本的構成は、図１（Ａ）に示すように、装置本体１に開閉可能に取り付けられる内側扉部３および外側扉部４を有する二重扉構造の開閉扉２を備え、この開閉扉２と装置本体１との間に第１のシート搬送路５を設けると共に、前記内側扉部３と外側扉部４の間に第２のシート搬送路６を設けてなるシート搬送装置であって、前記開閉扉２の開放時に自動的に内側扉部３と外側扉部４とが離間せしめられて内外両扉部３，４の開放間隔を作成する間隔作成手段７ａを設けたことを特徴とする。
【０００６】
このような技術的手段において、開閉扉２の開閉態様は通常旋回動作によるものが主であるが、例えば平行移動によって開閉する態様をも含む。
ここで、間隔作成手段７ａとしては、外側扉部４と内側扉部３の間に介装されるばね部材としてもよく、この態様であれば、簡単な構成で内外両扉部３，４の開放を実現することができる。
また、開閉扉２が旋回可能な態様にあっては、外側扉部４の回転に連動して内側扉部３を回転させる運動伝達機構とし、外側扉部４よりも内側扉部３の開放角を小さくする構成としてもよく、この態様にあっては、内外両扉部３，４を確実に開放することができる。そして、本態様において、運動伝達機構としては、歯車機構としてもよいし、ベルト伝達機構としてもよいし、摩擦車なども利用することができる。
【０００７】
さらに、開閉扉２が旋回可能な態様において、例えば内側扉部３および外側扉部部４が自重によって下方に開く構成の場合には、間隔作成手段７ａは、外側扉部４の開放角よりも内側扉部３の開放角を小さくする回転止めによって構成してもよく、この態様にあっては、簡単に内外両扉部３，４間を開放することができる。
さらにまた、間隔作成手段７ａの他の態様としては、装置本体１に対して外側扉部４を固定するロック手段と、該ロック手段によるロック状態を解除するロック解除手段とを備えた態様において、ロック解除手段の一部を利用して間隔作成手段７ａを構成するようにしてもよい。
【０００８】
また、本発明において、間隔作成手段７ａは内側扉部３と外側扉部４とを離間させるものであればよいが、例えば内側扉部３と外側扉部４とを同時に開放しようとした時、開放操作の力によっては、内側扉部３の開放位置が不十分になったり、あるいは、内外両扉部３，４間の開放間隔が狭くなる場合が起こり得る。
このような場合、各シート搬送路５，６にてジャムが生じたとしても、ジャム処理スペースを充分に確保することができず、ジャム処理がし難いという懸念がある。
このような事態に対処するには、図１（Ａ）に示すように、内側扉部３と外側扉部４との開放間隔が変動自在に調整せしめられる間隔調整手段７ｂを設けることが好ましい。
【０００９】
本態様によれば、内側扉部３と外側扉部４との開放間隔を調整することで、各シート搬送路５，６に対するジャム処理スペースを充分に確保することが可能であり、ジャム処理をより容易且つ確実に実行できる。
また、間隔調整手段７ｂは内外両扉部３，４の開放間隔を調整できればよいが、開閉操作を容易に行うという観点からすれば、内側扉部３と外側扉部４との間を一定の基準開放間隔に保ちながら内外両扉部３，４を開閉可能とすることが好ましい。
【００１０】
特に、本発明にあっては、開閉扉２閉鎖時に、内側扉部３と外側扉部４との高さ位置が位置決めされる高さ位置決め手段を設けることが必要である。
この態様によれば、離間した内側扉部３と外側扉部４とを閉鎖する時に、開閉扉２を一体化し易い。
ここで、高さ位置決め手段は、間隔作成手段７ａと別体に設けることは可能であるが、本発明にあっては、構成の簡略化（部品点数の低減）を図るという観点からすれば、間隔作成手段７ａが高さ位置決め手段を兼用している態様が採用されている。
【００１１】
また、本発明に関連する参考発明としては、図１（Ｂ）に示すように、装置本体１に開閉可能に取り付けられる内側扉部３および外側扉部４を有する二重扉構造の開閉扉２を備え、この開閉扉２と装置本体１との間に第１のシート搬送路５を設けると共に、内側扉部３と外側扉部４の間に第２のシート搬送路６を設け、さらに内側扉部３と外側扉部４を重ねた状態で固定するロック手段と、該ロック手段のロック状態を解除するロック解除手段８とを備えたシート搬送装置であって、前記ロック解除手段８を複数箇所に設け、いずれのロック解除手段８によってもロック手段のロック状態を解除可能に構成したものが挙げられる。
本態様によれば、ロック解除手段８を複数箇所に設け、いずれのロック解除手段８によっても前記内側ロック機構のロックを解除可能に構成したので、ユーザの作業する目線にかかわらずロック解除部の視認性が向上するし、これによリユーザがジャム除去ミスを低減することができる。
さらに、本発明に関連する他の参考発明としては、図１（Ｂ）に破線で示すように、前記内側扉部３および外側扉部４の少なくともいずれか一方にロック解除手段８の操作部８ａの設置方向を表示する表示部９を設けるようにするものが挙げられる。
本態様によれば、ロック解除手段８の操作部８ａの設置方向を表示する表示部９を設けたことにより、上述したのと同様、ユーザの作業する目線にかかわらずロック解除部の視認性が向上する。
【００１２】
【発明の実施の形態】
以下、添付図面に示す実施の形態に基づいて本発明を詳細に説明する。
◎実施の形態１
図２は本発明の基本的構成を具備したシート搬送装置が適用される画像形成装置の搬送系の全体構成図、図３は図２のカセット前搬送路および反転搬送路部分の断面図、図４は本発明が適用されたシート搬送装置の実施の形態１を示す要部説明図である。
【００１３】
まず、図２を参照して画像形成装置の搬送系の全体構成を説明する。
この画像形成装置は、装置本体１０の下部に上下に配置される複数のシート収容カセット１１と、このシート収容カセット１１から水平方向に送出されシートを上方向に方向転換させるカセット前搬送路１２と、このカセット前搬送路１２を通過したシートをシート収容カセット１１からの送出方向とは反対方向に方向転換させる逆方向搬送路１３と、この逆方向搬送路１３を通過したシートをシート収容カセット１１からのシート送出方向と同じ方向に再び方向転換させて画像形成部１４に搬送する半円周状の再方向転換搬送路１５と、画像形成部１４から定着部１６を経て排出口１７に至る主搬送路１８とを備えている。
【００１４】
また、主搬送路１８の定着部１６と排出口１７の間から分岐してカセット前搬送路１２と装置本体１０の側面との間に下方に延びる反転搬送路１９と、この反転搬送路１９に設けられた反転ローラ２０の上方から分岐して再方向転換搬送路１５に合流する再方向転換反転搬送路２１と、反転搬送路１９の上流で右方向に分岐し、フェースを反転したシートを排出口１７へ排出する搬排出送路２２とを備えている。
【００１５】
そして、図３，図４に示すように、装置本体１０の反転搬送路１９側の側面下部にジャム除去作業用の開閉扉３０が設けられている。
この開閉扉３０は、装置本体１０に旋回可能に取り付けられる内側旋回部３３および外側旋回部３４を有する二重扉で、内側旋回部３３と外側旋回部３４の間に第２のシート搬送路としての反転搬送路１９の下半分が設けられている。また、内側旋回部３３と装置本体１０の間に、第１のシート搬送路としてのカセット前搬送路１２の一部が形成されている。
外側旋回部３４は、外カバー部３４ａと、この外カバー部３４ａの裏面に配置され反転搬送路１９の外側ガイドとなるガイドリブ３４ｂとを備えている。
【００１６】
内側旋回部３３は、外側旋回部３４のガイドリブ３４ｂを取り囲む四角形状の開放部分を持つフレーム３５と、このフレーム３５に支持される中間搬送ガイド部３６と、を備えている。中間搬送ガイド部３６は各シート収容カセット１１に対応して複数のサブ搬送ガイド部３６ａに分割されており、各サブ搬送ガイド部３６ａの表裏面はそれぞれ反転搬送路１９とカセット前搬送路１２に面しており、反転搬送路１９に面する表側には反転搬送路１９の内側ガイドとなる複数のガイドリブ３６ｂが、カセット前搬送路１２に面する裏側にはカセット前搬送路１２の外側ガイドとなる板状のシュート３６ｃと、搬送ローラ対２３の一方の搬送ローラ２３ａが設けられている。
【００１７】
各サブ搬送ガイド部３６ａの両側面にはフレーム３５の側壁に設けられた支持穴３６ｄに嵌合する支持軸３６ｅが上下一対ずつ設けられ、この支持軸３６ｅを介して、各サブ搬送ガイド部３６ａはフレーム３５に支持されている。支持穴３６ｄは前後に長い長穴となっており、長穴の分だけサブ搬送ガイド部３６ａは前後に移動可能となっている。また、図５に示すように、支持軸３６ｅにはサブ搬送ガイド部３６ａのシュート３６ｃをフレーム３５からカセット前搬送路１２側に突出させる方向に付勢するシュート付勢スプリング３７が装着され、各サブ搬送ガイド部３６ａの搬送ローラ２３ａは、シュート３６ｃを介して装置本体１０側の搬送ローラ２３ｂに圧接される。
【００１８】
開閉扉３０を構成する内側および外側旋回部３３，３４は、その奥側でヒンジを介して装置本体１０に旋回自在に取り付けられており、外側旋回部３４が、外側ロック機構３８によって、その閉位置において装置本体１０にロックされている。外側ロック機構３８は、外側旋回部３４に設けられるラッチ３８ａと、装置本体１０に設けられ前記ラッチ３８ａが係脱するロックピン３８ｂとから構成され、ラッチ３８ａは、不図示の付勢手段によってロックピン３８ｂに係合する方向に常時付勢されており、不図示のノブ等によってロックピン３８ｂから離脱する方向に傾動させることにより、ロックが解除される。
【００１９】
そして、外側旋回部３４開放時に自動的に内側旋回部３３と外側旋回部３４とを離間させる間隔作成手段として、外側旋回部３４と内側旋回部３３の間にばね部材４０が介装されている（図４参照）。
すなわち、内側旋回部３３と外側旋回部３４間にはロック機構はなく自由状態で、閉じている時には内側旋回部３３は外側旋回部３４と装置本体１０間に挟まれて固定されている。この閉状態では、ばね部材４０は内側および外側旋回部３３，３４を開方向に常時付勢する状態に弾性変形しており、このばね部材４０のばね力は外側旋回部３４をロックする外側ロック機構３８によって支持されている。
ばね部材４０としては、図示例では板ばねが用いられ、内側旋回部３３の下側縁に配設されている。ばね部材４０は、内側旋回部３３に限定されず、外側旋回部３４側に設けてもよいし、その両方に設けてもよい。
ばね部材４０としては、板ばね，コイルばね，ねじりコイルばね，トーションバー等種々のばね部材を用いることができる。
【００２０】
なお、内側旋回部３３の搬送ローラ２３ａはシュート付勢スプリング３７のばね力によって装置本体１０側の搬送ローラ２３ｂに圧接されており、内側旋回部３３を開放すると同時にシュート付勢スプリング３７のばね力によって搬送ローラ２３ａを介して内側旋回部３３が押圧され、内側旋回部３３も自動的に開く。
次に本発明の他の実施の形態について説明する。以下の説明では、実施の形態と異なる点のみを説明するものとし、同一の構成部分については同一の符号を付して説明を省略する。
【００２１】
◎実施の形態２
図６（Ａ）（Ｂ）は本発明の基本的構成を具備した実施の形態２に係るシート搬送装置を示している。
この実施の形態では、間隔作成手段として、外側旋回部３４の回転に連動して内側旋回部３３を回転させる運動伝達機構としての歯車伝達機構５０としたものである。歯車伝達機構５０は、外側旋回部３４の開放角よりも内側旋回部３３の開放角を小さくするようにギア比が構成される。
歯車伝達機構５０は、図６（Ｂ）に示すように、外側旋回部３４と一体の外側ギア５１と、内側旋回部３３と一体の内側ギア５２が回転中心のヒンジに回転自在に嵌合しており、この外側、内側ギア５１，５２が、２段ギア５３の大径歯車と小径歯車５３ａ，５３ｂに噛み合っている。
【００２２】
◎実施の形態３
図７（Ａ）は本発明の基本的構成を具備した実施の形態３に係るシート搬送装置を示している。
この実施の形態は、内側および外側旋回部３３，３４は自重によって下方に開く構成で、前記間隔作成手段が、外側旋回部３４の開放角よりも内側旋回部３３の開放角を小さくする回転止め６１，６２によって構成される。すなわち、内側および外側旋回部３３，３４の回転止め６１，６２の作用する位置を異ならせることで、間隔作成を行う。
回転止め６１，６２は種々の構成が適用可能であるが、たとえば、図７（Ｂ）（Ｃ）に示すように、中央に屈曲自在の薄肉部６３を設けたベルト６４によって構成され、一端が装置本体１０に固定され、他端が内側旋回部３３および外側旋回部３４に固定される。
【００２３】
◎実施の形態４
図８は本発明の基本的構成を具備した実施の形態４に係るシート搬送装置を示している。
この実施の形態では、外側旋回部３４が、外側ロック機構３８によって、その閉位置において装置本体１０にロックされている。
ここで、外側ロック機構３８は、外側旋回部３４に設けられるラッチ３８ａと、装置本体１０に設けられ前記ラッチ３８ａが係脱する図示外のロックピン（図４中符号３８に相当）とから構成され、ラッチ３８ａは、不図示の付勢手段によってロックピン３８ｂに係合する方向に常時付勢されており、外側旋回部３４に設けられるロック解除機構３９（本例では、不図示のノブを操作する事により上下動するロック解除レバー３９１を有し、このロック解除レバー３９１に前記ラッチ３８ａを取り付けるようにした機構）によって図示外のロックピン３８ｂから離脱する方向に移動せしめられ、ロックピンとの係合状態（ロック状態）が解除されるようになっている。
【００２４】
そして、本実施の形態では、間隔作成手段として、ロック解除機構３９のロック解除操作に連動して、内側および外側旋回部３３，３４を離間させる押出機構１００が設けられている。
この押出機構１００は、図８及び図１０（Ａ）に示すように、ロック解除機構３９のロック解除レバー３９１に押出ブロック１０１を固定しておき、内側旋回部３３の前記押出ブロック１０１に対応した箇所には傾斜突起部１０２を設け、ロック解除機構３９のロック解除操作（本例では、ロック解除レバー３９１を下方に移動させ、ロックピンとラッチ３８ａとの係合を解除する操作に相当）に伴ってロック解除レバー３９１がロック解除位置に到達した時点で、前記押出ブロック１０１を傾斜突起部１０２の傾斜面１０３に当接させ、この傾斜突起部１０２を介して内側旋回部３３を閉じる方向に向けて押し出すようになっている。
【００２５】
また、本実施の形態では、内側および外側旋回部３３，３４の開放間隔を調整する間隔調整機構が設けられている。
この間隔調整機構は、図８及び図９に示すように、内側および外側旋回部３３，３４の底部間に掛け渡されたリンク機構１１０からなり、このリンク機構１１０は、例えば外側旋回部３４の底部にリンクプレート１１１の一端を支持ピン１１２にて回転自在に支持する一方、このリンクプレート１１１には所定形状の係止スリット１１３を形成すると共に、前記内側旋回部３３の底部には係止ピン１１４を突設させ、前記係止スリット１１３に摺動可能に前記係止ピン１１４を係止させるようにしたものである。
【００２６】
本例において、リンク機構１１０の係止スリット１１３は、図９及び図１０（Ｂ）に示すように、略逆Ｖ字状に形成されており、開閉扉３０のヒンジ３１中心を中心とする円弧状軌跡部１１３ａと、この円弧状軌跡部１１３ａの端部から前記支持ピン１１２側に向かって延びる直線状軌跡部１１３ｂとを備えている。
そして、前記係止ピン１１４が係止スリット１１３の屈曲部１１５に位置する状態において、このリンク機構１１０は、内側および外側旋回部３３，３４の開放角度を所定角度θ１に規制するようになっており、この位置関係において、リンクプレート１１１の一部を切り起こした弾性突片部１１６が内側旋回部３３の底部の段差部３３１に衝合するようになっている。
但し、内側旋回部３３をさらに内方向に強制移動させる際には、前記弾性突片部１１６は弾性変形により段差部３３１を乗り越えるようになっている。
【００２７】
次に、本実施の形態に係るシート搬送装置の開閉扉３０の開閉操作について説明する。
本例において、第１のシート搬送路としてのカセット前搬送路１２又は第２のシート搬送路としての反転搬送路１９でシートがジャムしたような場合、先ず開閉扉３０を開放操作するようにすればよい。
このとき、図８に示すように、ロック解除機構３９によるロック解除操作を行い、外側旋回部３４側のラッチ３８ａと装置本体１０側の図示外のロックピンとの係合状態を解除し、この状態で外側旋回部３４を開放すればよい。
【００２８】
特に、本実施の形態では、ロック解除機構３９によるロック解除操作に伴って押出機構１００が働く。
すなわち、ロック解除操作時には、図１０（Ａ）に示すように、ロック解除レバー３９１が下方に移動するが、これに伴って押出ブロック１０１が傾斜突起部１０２に当接し、内側旋回部３３を内側方向に向けて押し出す。
このため、外側旋回部３４を外側に向かって開放すれば、内側旋回部３３は内側に向かって押し出されることになるため、内側および外側旋回部３３，３４間は所定の開放角度で開放される。
【００２９】
さらに、本実施の形態では、リンク機構１１０が設けられているため、外側旋回部３４を開放していくと、図９に示すように、リンクプレート１１１の係止スリット１１３内に係止ピン１１４が摺動していき、当該係止ピン１１４が係止スリット１１３の屈曲部１１５に到達した時点で、リンクプレート１１１の弾性突片部１１６が内側旋回部３３の段差部３３１に当接する。
この状態において、外側旋回部３４をさらに開放していくと、所定の開放角度θ１を保った状態で内側旋回部３３も外側に向かって追従開放される。
それゆえ、本実施の形態においては、外側旋回部３４と内側旋回部３３との間が所定の開放角度θ１で開放され、また、外側旋回部３４を開放することに伴って内側旋回部３３も開放されることから、これらの開放スペースを利用してカセット前搬送路１２や反転搬送路１９のジャムシートの存在を確認し、かつ、確実にジャム処理を行うことができる。
【００３０】
さらに、本実施の形態では、例えばジャム処理に当たって、外側旋回部３４と内側旋回部３３との間のスペースをもう少し拡大したいというような要請下にあっては、前記内側旋回部３３を内側方向に向けて移動させるようにすればよい。
このとき、図９に示すように、内側旋回部３３の係止ピン１１４は円弧状軌跡部１１３ａに沿って摺動するため、内側旋回部３３の移動に伴って外側旋回部３４が追従移動することはなく、内側および外側旋回部３３，３４の開放角度をθ１よりも拡げることができる。
この状態において、内外両旋回部３３，３４間のジャム処理スペースをより広く確保することができるため、その分、ジャム処理が容易に行われる。
【００３１】
一方、内側旋回部３３の内側のスペースをもう少し拡大したいという要請下にあっては、内側旋回部３３を直接あるいは外側旋回部３４を介して外側に向けて開放するようにすればよい。
このとき、内側および外側旋回部３３，３４は所定の開放角度θ１を保ったまま外側に開放されていくため、結果的に、内側旋回部３３内のジャム処理スペースを広く確保することができ、その分、ジャム処理が容易に行われる。
【００３２】
◎実施の形態５
図１１は本発明が適用された実施の形態５に係るシート搬送装置を示している。
本実施の形態において、間隔作成手段としては、例えば外側旋回部３４の回転自由端縁の一部に位置決め突片１２１を設ける一方、前記内側旋回部３３の回転自由端縁の一部には前記位置決め突片１２１が支持される回転可能な位置決めロール１２２を設けたものが採用されている。
この態様においては、例えば開閉扉３０を開放する際に、外側ロック機構３８のロック状態を解除し、外側旋回部３４を開放すると、前記位置決め突片１２１と位置決めロール１２２との間の摩擦抵抗は極めて小さいため、外側旋回部３４が開放されたとしても、内側旋回部３３は外側旋回部３４に追従することなく、位置決め突片１２１と位置決めロール１２２との係合が外れ、内側および外側旋回部３３，３４間は所定の開放角度で開放される。
【００３３】
なお、内側旋回部３３の搬送ローラ２３ａはシュート付勢スプリング３７のばね力によって装置本体１０側の搬送ローラ２３ｂに圧接されている関係上、外側旋回部３４が開放されると、シュート付勢スプリング３７のばね力によって搬送ローラ２３ａを介して内側旋回部３３が押圧され、内側旋回部３３も自動的に開く。
この状態において、内側および外側旋回部３３，３４間、あるいは、内側旋回部３３の内側が共に開放されることから、これらのスペースを利用してジャム処理などが行われる。
【００３４】
また、本実施の形態では、例えばジャム処理が終了した後、開閉扉３０を閉じる際に、外側旋回部３４を閉じていくと、前記位置決め突片１２１が位置決めロール１２２上に乗り上げることから、内側および外側旋回部３３，３４の高さ位置が所定位置に位置決めされることになり、開閉扉３０は一体となって閉じられる。
このとき、前記間隔作成手段としての位置決め突片１２１および位置決めロール１２２は各旋回部３３，３４の高さ位置を位置決めする機能部材としても働くようになっており、内側および外側旋回部３３，３４の相対位置関係は前記間隔作成手段である位置決め機構によって正確に保たれる。
このため、開閉扉３０の外観品質が損なわれることがないばかりか、内外両旋回部３３，３４に設けられる搬送ローラ対２３のアライメントも正確に調整される。
なお、位置決め突片１２１の先端部分は位置決めロール１２２に乗り上げ易いように曲面状に形成することが好ましく、また、位置決め突片１２１と位置決めロール１２２との位置関係については逆に設けるようにしてもよい。さらに、位置決め機構については、本実施の形態に限られず、位置決め機能を発揮できるものであれば、適宜選定して差し支えない。
【００３５】
◎実施の形態６
図１２乃至図１４は本発明に関連する参考発明が適用された実施の形態６に係るシート搬送装置を示している。
この実施の形態では、内側旋回部３３と外側旋回部３４を重ねた状態で固定する内側ロック機構７０と、内側ロック機構７０によるロック状態を解除するロック解除機構８０とが設けられており、従来と同様に、外側旋回部３４を開くと内側旋回部３３が外側旋回部３４と共に開き、その後、ロック解除機構８０によって内側ロック機構７０を解除するものである。
【００３６】
内側ロック機構７０は、図１３（Ａ）（Ｂ）に示すように、外側旋回部３４の裏面から内側旋回部３３に向かって突出するラッチ７１と、内側旋回部３３側に設けられラッチ７１の係止爪７２が係合するロックプレート部７３と、から構成される。ロックプレート部７３は、支持軸７４を介して、ロック位置と、ロック解除位置との間を上下方向に移動自在に支持され、不図示のスプリングのばね力によってロック位置に常時付勢されている。
ラッチ７１の係止爪７２の先端部は傾斜部７５となっており、内側旋回部３３と外側旋回部３４間を閉じた際には、ロックプレート部７３下端がこの傾斜部７５に当接し、スプリングのばね力に抗して上方に押し上げられ、係止爪７２を乗り越えた時点でスプリングのばね力によりラッチ７１の係止位置に係合する。
本実施の形態では、上記内側ロック機構７０が、内側および外側旋回部３３，３４の側縁に、上下に離間して２箇所に設けられている（図１４参照）。
【００３７】
一方、ロック解除機構８０は、図１３（Ａ）に示すように、上記ロックプレート部７３に連結される操作レバー部８１と、この操作レバー部８１の先端に設けられる操作部としてのロック解除ノブ８２と、を備えており、ロック解除ノブ８２を上方にスライドさせることにより、ロックプレート部７３をラッチ７１の係止爪７２から離間させ、ロックを解除することができる。
この実施の形態では、図１４に示すように、このロック解除機構８０が、内側旋回部３３側面の上部と下部の２箇所に設けられており、上部の操作レバー部８１と下部の操作レバー部８１がリンク部８３を介して連結されており、上下いずれのロック解除ノブ８２を操作しても、ロックを解除することができる。
このようにすれば、例えば、図１５に示すように、装置本体１０にシート後処理装置９０が設置され、上部のロック解除ノブ８２がシート後処理装置９０の陰に隠れて見えない場合でも、下部のロック解除ノブ８２が目線の範囲に入るので、内側旋回部３３を開放して反転搬送路１９のジャム処理を確実に行うことができる。
【００３８】
このロック解除ノブ８２は、図１６に示すように、内側旋回部３３の側面から上面側に回り込む表示片８２ａを設け、上面から視認可能としてもよい。
また、図１７に示すように、ロック解除ノブ８２を、内側旋回部３３の側面と上面の２箇所に設けてもよい。この場合、図示しないが、上面側のロック解除ノブ８２の操作方向を側面のロック機構の解除操作方向に変換する変換機構を設けておけばよい。
【００３９】
◎実施の形態７
図１８は本発明に関連する参考発明が適用された実施の形態７に係るシート搬送装置を示している。
この実施の形態では、内側旋回部３３および外側旋回部３４の少なくともいずれか一方に、ロック解除ノブ８２の設置位置を指示する表示部８５を設けたものである。ロック解除ノブ８２は１箇所でもよいし、数カ所に配置されていてもよい。また、表示部８５も一箇所でもよいし、数カ所に設けてもよい。
【００４０】
【発明の効果】
以上説明してきたように、本発明によれば、外側開閉扉の開放時に、自動的に前記内側扉部と外側扉部とが離間せしめられる間隔作成手段を設けたので、外側扉部を開放する１つの操作で、外側および内側扉部が離間した状態で開放されるため、内外両扉部と装置本体の間、外側および内側扉部の間のシートのジャムを確実に発見でき容易に除去可能となる。
さらに、本発明において、開閉扉閉鎖時に、内側扉部および外側扉部の高さが位置決めされる高さ位置決め手段を付加するようにすれば、離間した両扉部を簡単に一体化することが可能になるため、開閉扉の開閉操作を容易に行うことができるばかりか、外観品質を常時良好に保つことができる。
【００４１】
特に、本発明によれば、間隔作成手段が高さ位置決め手段を兼用しているので、構成の簡略化を図りながら、ジャム処理を容易に行い且つ開閉扉を一体化することができる。
【図面の簡単な説明】
【図１】  （Ａ）は本発明の基本的構成に係るシート搬送装置の概要を示す説明図、（Ｂ）は本発明の基本的構成の別の態様を示す説明図である。
【図２】  本発明の基本的構成を具備した実施の形態１に係るシート搬送装置が適用される画像形成装置の全体構成の説明図である。
【図３】  図２のカセット前搬送路と反転搬送路の開閉扉の構成を示す側面図である。
【図４】  図３の開閉扉の開放状態の斜視図である。
【図５】  図２の内側旋回部のシュート付勢スプリング部の透視図である。
【図６】  （Ａ）は本発明の基本的構成が適用された実施の形態２に係るシート搬送装置の上面図、（Ｂ）は（Ａ）の歯車伝達機構の矢視説明図である。
【図７】  （Ａ）は本発明の基本的構成が適用された実施の形態３に係るシート搬送装置の概略斜視図、（Ｂ）は（Ａ）の回転止め部材の斜視図、（Ｃ）は（Ｂ）の側面図である。
【図８】  本発明の基本的構成が適用された実施の形態４に係るシート搬送装置の開閉扉の開放状態の斜視図である。
【図９】  図８の底面説明図である。
【図１０】  （Ａ）は押出機構の原理を示す説明図、（Ｂ）は間隔調整機構の拡大説明図である。
【図１１】  本発明が適用された実施の形態５に係るシート搬送装置の開閉扉の開放状態の斜視図である。
【図１２】  本発明に関連する参考発明が適用された実施の形態６に係るシート搬送装置の開閉扉の開放状態の斜視図である。
【図１３】  （Ａ）は図１２のロック機構とロック解除機構の部分透視図、（Ｂ）はその要部説明図である。
【図１４】  図１２の上下２箇所のロック機構とロック解除機構の全体構成を示す一部破断透視図である。
【図１５】  図１２のシート搬送装置が適用される画像形成装置に後処理装置を設置した状態の斜視図である。
【図１６】  本発明の実施の形態６の変形例を示す図である。
【図１７】  本発明の実施の形態６の他の変形例を示す図である。
【図１８】  本発明に関連する参考発明が適用された実施の形態７に係るシート搬送装置を示す図である。
【図１９】  従来のシート搬送装置の二重扉構造の開閉扉を一体で開放した状態の斜視図である。
【図２０】  図１９の二重扉構造の外側および内側旋回部を開放した状態の斜視図である。
【図２１】  図１９の装置の開閉扉側に後処理装置を設置した状態の斜視図である。
【図２２】  図２１の装置の開閉扉を一体で開放した状態の斜視図である。
【図２３】  図２２の開閉扉の外側旋回部と内側旋回部を開放した状態の斜視図である。
【符号の説明】
１…装置本体，２…開閉扉，３…内側扉部，４…外側扉部，５…第１のシート搬送路，６…第２のシート搬送路，７ａ…間隔作成手段，７ｂ…間隔調整手段，８…ロック解除手段，９…表示部
【図１】
0004062402.tif 000002
【図２】
0004062402.tif 000003
【図３】
0004062402.tif 000004
【図４】
0004062402.tif 000005
【図５】
0004062402.tif 000006
【図６】
0004062402.tif 000007
【図７】
0004062402.tif 000008
【図８】
0004062402.tif 000009
【図９】
0004062402.tif 000010
【図１０】
0004062402.tif 000011
【図１１】
0004062402.tif 000012
【図１２】
0004062402.tif 000013
【図１３】
0004062402.tif 000014
【図１４】
0004062402.tif 000015
【図１５】
0004062402.tif 000016
【図１６】
0004062402.tif 000017
【図１７】
0004062402.tif 000018
【図１８】
0004062402.tif 000019
【図１９】
0004062402.tif 000020
【図２０】
0004062402.tif 000021
【図２１】
0004062402.tif 000022
【図２２】
0004062402.tif 000023
【図２３】
0004062402.tif 000024